(57)【要約】【課題】割ピンやＥリング等の止め具を用いることなく、装置のソレノイドプランジャ等の構成部材を連結並びに支持する各軸の抜止め防止が可能で、しかも、組み立て、分解が簡便な部品数の簡素化が期待できる氷ディスペンサーの扉開閉装置を提供する。【解決手段】貯氷庫１の氷放出口２を開閉する開閉扉３−１を装置機枠３−５に回動可能に軸着する支軸５、装置機枠３−５を介して貯氷庫１に設置されるソレノイド装置３−２のプランジャ３−２０に連結部材３−３の一端側を連結する移動軸６、前記開閉扉３−１に連結部材３−３の他端側を連結する連結軸７、これら各軸の端面を移動不能に押える軸押え部３−６を、前記装置機枠３−５に備えることで、割ピンやＥリング等の止め具を用いた各軸５，６，７の抜止め防止の必要性を廃止した。【選択図】  図３
2004239444.tif 000002
【特許請求の範囲】
【請求項１】
装置機枠に支軸を介して回動自在に軸着されて貯氷庫の氷放出口を開閉する開閉扉と、貯氷庫の外側に装置機枠を介して設置されるソレノイド装置と、ソレノイドプランジャに移動軸を介して一端側が連結され、他端側が前記開閉扉に連結軸を介して連結された状態で組み込まれる連結部材とを具備する氷ディスペンサーの扉開閉装置に於いて、
前記支軸、移動軸、連結軸これら各軸の少なくとも一端面側を移動不能に押える軸押え部が備えられていることを特徴とする氷ディスペンサーの扉開閉装置。
【請求項２】
請求項１記載の軸押え部は、装置機枠に備えられていることを特徴とする氷ディスペンサーの扉開閉装置。
【請求項３】
請求項１又は２記載の軸押え部は、各軸の両側端面を押えるように備えられ、且つ、移動軸の両側端面を押える部位にはソレノイドプランジャの直線的な進退移動方向で且つその移動範囲にて移動軸を支え案内するガイド部が設けられていることを特徴とする氷ディスペンサーの扉開閉装置。
【請求項４】
請求項２又は３記載の軸押え部は、装置機枠の幅方向両側の側壁内面に沿わされて配設され、該側壁内面に沿う部位には係合部が備えられ、該係合部を前記側壁に設けられた係止部に係合させることにより、軸押え部が前記側壁に対して、該側壁の開放方向とソレノイドプランジャの進退方向に移動不能に係止保持されるように形成されていることを特徴とする氷ディスペンサーの扉開閉装置。
【請求項５】
請求項１記載の開閉扉が氷放出口を閉じた状態で、該開閉扉をロック保持するロック手段を具備し、
前記ロック手段は、開閉扉側に備えられた２箇所の第１、第２ロック部と、ソレノイドプランジャ側に備えられたロック爪とを有し、
前記第１ロック部は、開閉扉が氷放出口を閉じた時点で装置機枠の底壁裏面に衝合するように形成され、
前記第２ロック部は、開閉扉が氷放出口を閉じた状態で、前記ソレノイドプランジャの前進限近傍において待機位置するように形成されて、ソレノイドプランジャが前進限まで前進してきた時点で、該プランジャに前方突出状に備えられている前記ロック爪が、装置機枠の前記底壁側から押し上げ係止するように構成されていることを特徴とする氷ディスペンサーの扉開閉装置。
【発明の詳細な説明】
【０００１】
【発明の属する技術分野】
本発明は、製氷部で生成されて貯氷庫に貯えられるブロック状やチップ状の氷を放出する氷ディスペンサーの氷放出口を開閉する扉開閉装置の改良に関する。
【０００２】
【従来の技術】
従来、この種の氷ディスペンサーの扉開閉装置としては、例えば貯氷庫に外側に装置機枠を介して設置されるソレノイド装置と、このソレノイドプランジャに連結軸を介して連結される操作部材と、この操作部材の前部に形成した長孔を挿通して通常は該長孔の後端に位置している移動軸と、この移動軸を介して前記操作部材の先端側に連結されると共に、前記装置機枠に支軸を介して回動可能に支持される支持板と、この支持板に設けられて貯氷庫の氷放出口を開閉する開閉扉と、この開閉扉から突出し、該扉が前記氷放出口を閉じた状態で前記操作部材の先端が係止するロック部材と、前記開閉扉から突出し、該扉が前記氷放出口を開いた時に前記操作部材の先端に当接するストッパー部材と、前記開閉蓋を常時氷放出口方向に付勢する発条体とを具備している（特許文献１参照）。
【０００３】
【特許文献１】
実開昭５７−１２５９７６号公報（第３頁−第４頁第１４行目−第１５行目、第２図−第４図）
【０００４】
即ち、前述した従来装置は、電流の通電によりソレノイドプランジャが後退する動きを成すソレノイド装置の通電が断たれることによって開閉扉は発条体により氷放出口を閉じる。この閉状態で操作部材の先端側がロック部材に係止していることで、貯氷庫内の氷の押圧力が開閉扉に掛かっても該扉の閉状態が保たれるようになっている。
そして、ソレノイド装置に電流が通電されてソレノイドプランジャが後退し、これに伴ない前記操作部材が後方に移動する間に、該操作部材のロック部材に対するロックが解除されると共に同操作部材の長孔先端に移動軸が係止し、その後、更に継続する前記操作部材の後方への移動により開閉蓋は支軸を支点として回動することによって氷放出口を開く。この開状態は、ロック部材が操作部材の先端に衝突した時点でその開状態が規制（制限）されることで、開閉扉は停止するようになっている。
【０００５】
【発明が解決しようとする課題】
しかし乍ら、前述した従来装置は、図１８に示すように、ソレノイドプランジャと操作部材の後部とを連結する移動軸３０、操作部材の前部と開閉扉の支持板とを連結する連結軸３１、そして、支持板を装置機枠に回動可能に軸着する支軸３２、これら各軸の抜止め防止は割ピンやＥリング等の止め具３３を用いて行なわれていることから、各軸３０，３１，３２の端部への取り付け状態が甘かったり、長年の使用により止め具３３が脱落して氷放出口から放出される氷に混じる恐れがあり、その改善が望まれていた。
【０００６】
また、従来装置では組み立てる際に、各軸の端部に止め具を取り付ける。特に割ピンにおいては端部に開口されている抜止孔に挿通させた後に折り曲げなければならないと言った面倒な折り曲げ作業が必要であることから、組立性が悪く、修理等の分解時には止め具を抜き外さなければならない等、分解性においても悪いものである。また、止め具は一旦取り外した後には再使用することが困難で、廃棄処分品となり、無駄になることが多い。
【０００７】
また、従来装置はソレノイドプランジャの進退移動、特に前進突出した際に、直線的に移動せずに、自重等により片側に寄る片減り現象が起り易く、この片減り現象（磨耗）により塵や埃が発生し、前述の割ピン等の脱落と同様に衛生上問題になる。
【０００８】
また、従来装置の操作部材の前進移動は、図１８に示すように、ソレノイドプランジャの復帰用として該プランジャと移動軸とに亘り張架されている復帰発条体３４が必要となったり、前述のように、各軸３０，３１，３２の端部に止め具３３を個々に取り付ける必要がある等から、装置の組み立てに時間が掛かるばかりか、修理時等の分解時においても時間が掛かるものであった。
【０００９】
また、従来装置の開閉扉が氷放出口を閉じた状態で、該開閉扉をロック保持するロック機構は、開閉扉が発条体により氷放出口を閉じ、操作部材の先端が開閉扉の背後に配設されているロック部材に係止して開閉扉の閉状態をロックさせるためには該ロック部材に操作部材の先端縁が突き当たった後に該ロック部材に対して操作部材を接触させた状態で更に前進摺動させる必要があることから、操作部材がスムーズに前進摺動せしめてロック部材に対して係止し得るように両部材間には僅かな遊びが必要となる。
換言すれば、操作部材の先端縁がロック部材に突き当たった後に摺動抵抗（接触抵抗）により操作部材の動きが止まらないように、該操作部材の先端側とロック部材との間には僅かな遊び（隙間）が必要となる。
【００１０】
従って、従来装置のロック機構は、操作部材がロック部材に係止せしめたロック状態においてどうしても前述の遊び隙間分、ガタが発生し、開閉扉を氷放出口に密着させたロック状態で該扉をロック保持することが難しく、そのために、開閉扉と氷放出口との隙間から暖かい外気が貯氷庫内に入り、該貯氷庫内の氷が解ける。解けた氷同士が互いにくっ付きあって氷の塊ができてしまう等の氷の品質管理が難しい。
【００１１】
また、従来装置のロック機構は、繰り返される開閉扉のガタにより、操作部材の先端とロック部材との両者間、或いは操作部材の長孔と移動軸との両者間が磨耗し、この磨耗によりガタが更に大きくなってしまう等の短期点検、交換が必要になる等の問題があり、その改善が望まれていた。
【００１２】
本発明はこの様な従来事情に鑑みてなされたもので、その目的とする処は、割ピンやＥリング等の止め具を用いることなく、装置のソレノイドプランジャ等の構成部材を連結並びに支持する各軸の抜止め防止が可能で、しかも、組み立て、分解が簡便な部品数の簡素化が期待できる氷ディスペンサーの扉開閉装置を提供することにある。
また、本発明の他の目的とする処は、ソレノイドプランジャの進退移動時の片減り現象に伴う塵や埃の発生を確実に防ぐガイド機能を備え、更には氷放出口に開閉扉をガタのない密着させた状態で、該扉をロック保持し得るように改良された扉ロック機構を備える氷ディスペンサーの扉開閉装置を提供することにある。
【００１３】
【課題を達成するための手段】
課題を達成するために本発明は、装置機枠に支軸を介して回動自在に軸着されて貯氷庫の氷放出口を開閉する開閉扉と、貯氷庫の外側に装置機枠を介して設置されるソレノイド装置と、ソレノイドプランジャに一端側が移動軸を介して連結され、他端側が前記扉に連結軸を介して連結される連結部材とを具備する氷ディスペンサーの扉開閉装置に於いて、
前記支軸、移動軸、連結軸これら各軸の少なくとも一端面側を移動不能に押える軸押え部が備えられていることで、割ピンやＥリング等の止め具を用いた各軸の抜止め防止の必要性を廃止したこと要旨とする。
【００１４】
そして、上記軸押え部は、ソレノイドプランジャの進退移動範囲にて移動する移動軸と、そして、支軸による軸着部を支点として開閉する開閉扉の回動範囲にて円周方向に移動する連結軸との端面を常に押える大きさ（面積）を有し、係脱自在な係合により又はネジ止め等により装置機枠の幅方向一側又は両側に配設されるように形成されていることである。
装置機枠に対する軸押え部の係脱自在な配設手段としては特に限定されるものではないが、例えば正面視略矩形状で断面が略コの字形を呈する装置機枠の幅方向両側の側壁内面に沿う軸押え部の外面部位に係合部を備え、該係合部を前記側壁に設けられた係止部に係合させることにより、軸押え部が前記側壁に対して、該側壁の開放方向とソレノイドプランジャの進退方向に移動不能に係止保持されると共に、支軸、移動軸、連結軸これら各軸の端面により、内側方向に移動不能に支えられるようにすることが好ましい。
ここで、上記係合部の形態は、窓孔又は凹部又は凸部等が挙げられ、一方係止部の形態は、前記窓孔又は凹部からなる係合部に係脱自在に嵌り込み適合する凸部又は前記凸部からなる係合部が係脱自在に嵌り込み適合する凹部等が挙げられる。
【００１５】
また、上記軸押え部が、装置機枠の幅方向両側に配設され、移動軸の両側端面を押える部位にはソレノイドプランジャの直線的な進退移動方向で且つその移動範囲にて移動軸の外周面並びに端面を摺動可能に支え案内するガイド部が設けられており、貯氷庫に対する扉開閉装置の設置が、縦向き設置又は横向き設置の場合においてもソレノイドプランジャが自重等により片寄りすることなく、常に直線的に進退移動し得るようにしたことを要旨とする。
ここで、上記軸押え部の材質としては特に限定されるものではないが、ソレノイドプランジャの進退移動を直線的に支え案内するガイド部を設けて、このガイド部に移動軸の両端部を摺動可能に載承させる場合、潤滑性を有する合成樹脂材料等が好ましい。
【００１６】
更に、本発明は上記開閉扉が氷放出口を閉じた状態で、該開閉扉をロック保持するロック手段を具備し、
前記ロック手段は、装置機枠に対する軸着部を支点として回動する開閉扉側に備えられた２箇所の第１、第２ロック部と、ソレノイドプランジャ側に備えられたロック爪とを備え、
前記第１ロック部は、開閉扉が氷放出口を閉じた時点で装置機枠の底壁裏面に衝合するように形成され、一方第２ロック部は、開閉扉が氷放出口を閉じた状態で、前記ソレノイドプランジャの前進限近傍における前記底壁の表面側において待機位置するように形成されて、ソレノイドプランジャが前進限まで前進してきた時点で、該プランジャに前方突出状に備えられている前記ロック爪が、第２ロック部に対し、装置機枠の前記底壁側から押し上げ係止するように構成されていることを要旨する。
これにより、氷放出口を閉じる開閉扉はガタのない密着状態でロック保持される。
【００１７】
因みに、扉開閉装置を貯氷庫に組み込み設置する場合、前述のように縦向きと横向き設置が考えられるが、縦向きで設置した場合、ソレノイドプランジャはソレノイド装置への通電が断たれると、プランジャ自体の自重と連結する連結部材等の自重により前進突出する動きを成す。
つまり、開閉扉が氷放出口を閉じた状態で、プランジャ側のロック爪が、開閉扉側の第２ロック部に対して、該ロック部を押し上げるように完全に食い込み係止されるまでの上記プランジャの動きが、該プランジャ自身の自重と連結部材の自重とにより行われる。
一方、横向きで設置する場合には、上記プランジャと連結部材とを連結する移動軸と該連結部材と開閉扉とを連結する連結軸とに亘り引張り発条体を必要に応じて張架備えることが好ましい。これにより、ソレノイド装置への通電が断たれ、開閉扉が氷放出口を閉じる動きに追従して前進するプランジャの前進限までの動きの確実性が図られる。
つまり、開閉扉が氷放出口を閉じた状態で、プランジャ側のロック爪が、開閉扉側の第２ロック部に対して、該ロック部を押し上げるように完全に食い込み係止されるまでの上記プランジャの動きが、発条体により確実に行なわれることとなる。
【００１８】
【発明の実施の形態】
本発明の実施の具体例を図面に基づいて説明する。
図１は、本発明氷ディスペンサーの全体を示す側面図で、１は貯氷庫、２は貯氷庫１の氷放出口、３は扉開閉装置、４は氷を生成しながら貯氷庫１内に送り込む製氷装置であり、扉開閉装置３の後述する装置機枠３−５に開閉扉３−１を回動自在に軸着する支軸５、同じく後述するソレノイド装置３−２のソレノイドプランジャ３−２０と連結部材３−３とを連結する移動軸６、そして連結部材３−３と前記開閉扉３−１とを連結する連結軸７、これら各軸５，６，７の両側解放端面を押える軸押え部３−６を、前記装置機枠３−５の幅方向両側に対峙させて配設することで、従来装置のように、割ピンやＥリング等の止め具を必要とせずに各軸５，６，７の抜止め防止を図るように構成してある。
【００１９】
貯氷庫１は、内部底側に無数の孔を有する多孔板８を配し、この多孔板８の中央から突出する製氷装置４のオーガ４−１の上端部に取り付けたアジテータ９を有し、外周壁には発泡ウレタン等からなる断熱材１０を有する周知の形態を成し、氷放出口２を開口した断熱材１０の外側に扉開閉装置３が縦向き状態で設置されるように構成してある。
【００２０】
扉開閉装置３は、開閉扉３−１と、貯氷庫１の外側に装置機枠３−５を介して縦向きに設置されるソレノイド装置３−２と、ソレノイドプランジャ３−２０に一端側が移動軸６を介して回動可能に連結され、他端側が前記開閉扉３−１に連結軸７を介して回動可能に連結される連結部材３−３と、前記開閉蓋３−１を常時氷放出口２方向に付勢する発条体３−４とを備える。
【００２１】
この扉開閉装置３は、ソレノイド装置３−２への通電による電磁力により電磁部に後退没入するプランジャ３−２０により開閉扉３−１が発条体３−４に抗して支軸５による軸着部Ｐを支点として時計方向に回動せしめることで、氷放出口２を開き、貯氷庫１内の氷が放出されるようにしてある（図７の状態）。
そして、ソレノイド装置３−２への通電が断たれると、開閉扉３−１がプランジャの自重と発条体３−４により軸着部Ｐを支点として反時計方向に回動せしめることで、氷放出口２を閉じる閉塞状態に復帰するようにしてある（図２及び図９の状態）。
【００２２】
開閉扉３−１は、貯氷庫１の氷放出口の開口面積よりも一回りほど大きい扉部３−１０と、この扉部の両側から背面方向に折り曲げ突出させた連結片部を３−１１とを備え、この両連結片部３−１１を、横断面が略コの字形で、正面視が略縦長矩形状を呈する装置機枠３−５の底壁３−５０前端（下端）側に打ち抜き且つ装置機枠３−５の幅方向中心線上を境に左右に対峙状に折り曲げ起立された両支持片部１１に亘り架橋状に挿通される支軸５を介して装置機枠３−５に回動可能に組み込まれるように構成されている。
【００２３】
支軸５は、上記両支持片部１１の対峙間隔よりも長く所望の太さを有するストレートピンからなり、解放両端面が左右の軸押え部３−６により押さえられることで、抜止め防止が図られるようにしてある。
【００２４】
そして、図２及び図３に示すように、支軸５に発条体３−４のコイル部分を挿通巻回させた状態で該発条体３−４の両開放端側を開閉扉３−１の扉部３−１０背面と装置機枠３−５に底壁３−５０前端側とに亘り、更に、扉部３−１０の背面から連結軸７に亘り引っ掛け弾装させることによって、軸着部Ｐを支点とする開閉扉３−１が常時氷放出口２方向に付勢されるように構成されている。
図中１２は、扉部３−１０に押え板１３を介して装着したゴムその他の弾性材等からなる閉塞板であり、開閉扉３−１が氷放出口２を閉じたときに該氷放出口２に閉塞板１２が密着するように、開閉扉３−１は構成されている。
【００２５】
連結部材３−３は、適宜の板厚で側面視が略矩形状で且つ短辺一端側が円形で、短辺他端側が一方向テーパーの角状を呈する板状を成し、その短辺他端側におけるテーパーの下端側（短辺一端側）には長辺一側と略平行とする適宜長さの長孔１３を開口し、この長孔１４と開閉扉３−１の両連結片部３−１１の軸孔とに亘り連結軸７を挿通せしめることにより、開閉扉３−１との連結が行われるように構成されている。
そして、連結部材３−３の円形な短辺一端側には移動軸６の軸径と略同径とする軸孔が開口されており、この軸孔に移動軸６を挿通せしめることにより、プランジャ３−２０のヘッド部との連結が行われるように構成されている。
【００２６】
上記連結軸７は、前述の支軸５と同じ長さに形成されたストレートピンからなり、移動軸６は、該連結軸７よりも長く形成されたストレートピンからなり、それら両軸６，７の解放両端面が左右の軸押え部３−６により押えられることで、抜止め防止が図られるようにしてある。
【００２７】
軸押え部３−６は、前述の支軸５、移動軸６、連結軸７の解放両端面を左右から押えることで、これら各軸５，６，７の抜止め防止を図る役目を成すもので、金属又は合成樹脂材料等の所望な材料から形成される。
本例では合成樹脂材料を用いて、図５に示すように、装置機枠３−５の幅方向中央線を境に長さが左右同じく形成されている前述の支軸５、連結軸７の端面と装置機枠３−５の側壁３−５１内面との間隔（隙間）寸法に合わせた厚さで、ソレノイドプランジャ３−２０の進退移動に伴い同方向に移動する移動軸６の移動範囲で且つ支軸５を支点とする開閉扉３−１の開閉移動に伴い円周方向に移動する連結軸７の移動範囲を包含する大きさ（面積）を有する側面視略矩形状に形成されている。
【００２８】
そして、移動軸６の開放端面を押える軸押え部３−６の内面部位にはガイド部１５を備えて、ソレノイドプランジャ３−２０の直線的な進退移動方向と同じ方向で且つその移動範囲にて移動軸６の外周面並びに端面を摺動可能に支え案内し得るように構成してある。
【００２９】
ガイド部１５は、ソレノイドプランジャ３−２０が進退移動する際、特に前進突出する際に、ヘッド部等の自重等により片側に寄ることで起る片減り現象を、プランジャ３−２０と連結部材３−３とを連結する移動軸６の外周面並びに端面を支えることで防ぐ。つまり、プランジャ３−２０が常に直線的に進退移動し得るように、移動軸６を介してプランジャ３−２０を、その進退方向に直線的に支え案内する役目を成すもので、軸押え部３−６の長辺一側に、ソレノイドプランジャ３−２０の進退移動範囲にて移動軸６の外周面並びに端面とが常時接触摺動し得るように断面略Ｌ字状に形成されている（図５参照）。
尚、図示を省略しているが、ガイド部１５の断面形状としてはＬ字状に限られるものではなく、例えば、ソレノイドプランジャの進退方向に延びる内向き開口の断面略コの字状に形成するも勿論良い。要するに、プランジャ３−２０の後退移動時に、移動軸６の外周面と端面とを支え案内し得る断面構造であれば良い。
【００３０】
而して、ソレノイドプランジャ３−２０は、ソレノイド装置３−２への通電により電磁部へ後退没入、そして通電が断たれることにより電磁部からプランジャ３−２０自身の自重等と開閉蓋３−１を氷放出口２方向へ付勢する発条体３−４とにより前進突出する際、片減り現象を起こすことなく、常に直線的に進退移動し得るように移動軸６を介してガイド部１５に支え案内されることで、片減り現象による塵や埃の発生を防ぐことができる。
【００３１】
また、装置機枠３−５の側壁３−５１に沿わせて宛がう軸押え部３−６の長辺他側の外面部位には係合部１６が設けられており、この係合部１６を前記側壁３−５１に設けられた係止部１７に係合させることにより、ソレノイドプランジャ３−２０の進退方向並びに装置機枠３−５の開放方向に移動不能に係止保持させた係脱自在な状態で、両側の軸押え部３−６を、装置機枠３−５の両側壁３−５１に定着配設し得るように構成されている。
【００３２】
係合部１６は、軸押え部３−６の長辺他側縁に沿わせた外面部位に角形又は丸形等の適宜の形状、図では角形で少なくとも装置機枠３−５の側壁３−５１の厚さに相当する程度の高さにて突設されて係止部１７に嵌め込み係止されるようにしてある。
一方係止部１７は、係合部１６が嵌め込み係止されることで、前述したように、軸押え部３−６をソレノイドプランジャ３−２０の進退方向等に移動不能に係止保持する役目に加えて、装置機枠３−５の両側壁３−５１に軸押え部３−６をセットする際のセット位置決めとなるもので、係合部１６の突出形状に適合する開口形状にて両側壁３−５１の所定部位に開口された窓孔からなる。
【００３３】
而して、軸押え部３−６の係合部１６を、装置機枠３−５の両側壁３−５１に開口されている係止部１７に嵌め込み係合させて、該側壁３−５１に沿わせて軸押え部３−６をセットすることで、両側壁３−５１に対する軸押え部３−６の位置決めがなされると共に、該軸押え部３−６は両側壁３−５１に対して、ソレノイドプランジャ３−２０の進退方向並びに装置機枠３−５の開放方向に移動不能に係止保持される。そして、両側の軸押え部３−５間に、両部材３−５を内側から突っ張るように夫々存在する支軸５、移動軸６、連結軸７これら各軸５，６，７の端面により、相対峙する内側方向に移動不能に支えられることとなる。
これにより、面倒なビス等を用いた装置機枠３−５への取り付けを一切不要として、単位に装置機枠３−５の側壁３−５１に沿わせて軸押え部３−６を組み込みセットすると言った簡単な手法での取り付けが可能となることで、組み立て、そして修理等時における扉開閉装置３の分解が簡便となる。
【００３４】
また、本例では扉開閉装置３の開閉扉３−１が貯氷庫１の氷放出口２を閉じた状態で、該開閉扉３−１が貯氷庫１内からの氷の押圧力により開かないようにロック保持するロック手段が具備されている。
【００３５】
ロック手段は、装置機枠３−５に対する軸着部Ｐを支点として回動する開閉扉３−１側に備えられる２箇所の第１、第２ロック部１８，１９と、ソレノイドプランジャ３−２０側に備えられるロック爪２０とを備え、開閉扉３−１が氷放出口２を閉じた時点で第１ロック部１８が装置機枠３−５の底壁３−５０裏面に衝合し、第２ロック部１９に、該ロック部１９を底壁３−５０表面から離間する方向に押し上げるようにロック爪２０が食い込み係止せしめることで、第１ロック部１８と第２ロック部１９との協働、所謂ダブルロック構造にて開閉扉３−１の閉状態がロック保持されるように構成してある（図２及び図９参照）。
【００３６】
第１ロック部１８は、図８に示すように、開閉扉３−１が氷放出口２を閉じた時点で、装置機枠３−５の底壁２−５０前端（下端）側の裏面に衝合せしめられた状態で係止されるように、開閉扉３−１の両連結片部３−１１における折り曲げ基端部位から装置機枠３−５の幅方向外向き状に夫々折り曲げ形成されている（図５参照）。
一方第２ロック部１９は、図２及び図９に示すように、開閉扉３−１が氷放出口２を閉じた状態で、底壁３−５０表面から離れたその上方部位におけるソレノイドプランジャ３−２０の前進限近傍において待機位置するように（図８の状態）、開閉扉３−１の両連結片部３−１１における折り曲げ突端側部位から装置機枠３−５の幅方向中心に向けた内向き状に折り曲げ形成されている（図５参照）。
【００３７】
ロック爪２０は、図５に示すように、移動軸６と、この移動軸６の外側に挿嵌される樹脂製スリーブ等を介してソレノイドプランジャ３−２０のヘッド部内に固定的に定着装備されるブラケット２１の両立上げ片部２１−１からプランジャ３−２０の前進突出方向に向けて一辺をテーパ−部とする先細角状に夫々突設されて、プランジャ３−２０が前進限まで前進移動せしめることで、テーパ−部を第２ロック部１９に沿わせて該ロック部１９を徐々に持ち上げるように食い込み係止されるようにしている。
【００３８】
因みに、ロック爪２０を備えるブラケット２１は、略Ｕ状に折り曲げ形成されると共に、両立上り片部２１−１に移動軸６の軸孔が開口されている。
そして、両立上り片部２１−１の連設部２１−２における開放一側にはプランジャ３−２０のヘッド部外面に当接させる掛止部２２が設けられており、この掛止部２２、そして移動軸６と樹脂製スリーブとにより、ネジ止め等を用いることなく、ブラケット２１をヘッド部へ固定的に定着装備し得るようにしてある。換言すれば、組み立て、分解が面倒なネジ止め等を必要とせずに、ヘッド部にロック爪２０付きブラケット２１を組み込み装備し得るようにしてある。
【００３９】
次に、以上の如く構成した本例詳述の扉開閉装置３の開閉動作を簡単に説明する。
図７に示すように、氷放出口２が開かれた状態でソレノイド装置３−２への通電が断たれると、ソレノイドプランジャ３−２０自身の自重、そして連結部材３−３等の自重、更に発条体３−５により軸着部Ｐを支点に回動せしめられる開閉扉３−１の動きにより、プランジャ３−２０は前進突出する動きを成す。
この時、プランジャ３−２０は移動軸６を介して両軸押え部３−６のガイド部１５により支え案内されることで、開閉扉３−１の閉じ方向への動きに引っ張られて片側に寄る等の片減り現象を起こすことなく、直線的に前進突出する動きを成す。よって、前進突出時に片減り現象による塵や埃等が発生しない。
【００４０】
そして、図９に示すように、開閉扉３−１が氷放出口２を閉じると、第１ロック部１８が装置機枠３−５の底壁３−５０前端の裏面に衝合係止されると共に、連結部材３−３の長孔１４の開口範囲内で、該連結部材３−３と共にプランジャ３−２０が自身の自重と発条体３−４により更に前進せしめる前進限まで前進突出する動き成す。すると、プランジャ３−２０に前方突出状に備えられているロック爪２０が、前方で待機している第２ロック部１９に対し、該ロック部１９を持ち上げるように食い込み係止される（図９の状態）。
従って、氷放出口２を閉じる開閉扉３−１は、第１ロック部１８と第２ロック部１９とによるダブルロック構造にて氷放出口２にガタのない密着させた状態で尚且つ貯氷庫１内からの氷の押圧力が掛かっても開くことがない閉状態にて確実にロック保持される（図２及び図９の状態）。
【００４１】
そして、ソレノイド装置３−２への通電により、プランジャ３−２０が後退没入する動きを開始すると、まず連結部材３−３の長孔１４の一端開口縁に連結軸７が受け止められる間においては連結部材３−３が単独で引き上げられると共に、第２ロック部１９に対するロック爪２０の係止ロック状態が解除される（図８の状態）。
【００４２】
連結部材３−３が単独で引き上げられることにより、図９に示すように、連結部材３−３の長孔１４の一端開口縁に連結軸７が受け止められた時点から開閉扉３−１を発条体３−４に抗して開く引張り力が連結部材３−３を介して開閉扉３−１に伝わり、該開閉扉３−１は軸着部Ｐを支点に時計方向に回動せしめて、氷放出口２を開く動きを開始する。
この時、継続して後退没入するプランジャ３−２０は、移動軸６を介して両軸押え部３−６のガイド部１５により支え案内されることで、直線的に後退没入する動きを成すと共に、開閉扉３−１は軸着部Ｐを支点に回動せめて氷放出口２を開く（図７の状態）。
【００４３】
図１０乃至図１２は、本発明扉開閉装置３の他の実施形態を示し、斯かる実施例は装置機枠３−５の底壁３−５０にビス２３止め等により軸押え部３−６０を左右対峙状に備えて、支軸５、移動軸６、連結軸７これら各軸５，６，７の抜止め防止を図るように構成してある。
尚、斯かる実施例では軸押え部３−６０の実施形態を変えた以外の他の構成部分においては前述した実施例詳述と基本的に同じことから、同じ構成部分に同じ符号を用いることで重複説明を省略する。
【００４４】
軸押え部３−６０は、金属等からなる板材を用いて、図１０に示すように、ソレノイドプランジャ３−２０の進退移動に伴い同方向に移動する移動軸６の移動範囲で且つ支軸５を支点とする開閉扉３−１の開閉移動に伴い円周方向に移動する連結軸７の移動範囲を包含する大きさ（面積）を有する側面視略矩形状に形成されている。
【００４５】
そして、同一形状の両軸押え部３−６０は長辺他側の一部が連設部２４により一体に連設されることで、前述の支軸５、連結軸７の長さ間隔にて左右対峙状と成し（図１１及び１２参照）、連設部２４が装置機枠３−５の底壁３−５０にビス２３止め等により固着せしめられることで、装置機枠３−５に備えられるように形成されている（図１０参照）。
【００４６】
また、移動軸６の開放端面を押える両軸押え部３−６０の長辺一側には折り曲げ加工により前述のガイド部２５が備えられており、ソレノイドプランジャ３−２０の直線的な進退移動方向と同じ方向で且つその移動範囲にて移動軸６の外周面並びに端面を摺動可能に支え案内し得るようにしてある。
【００４７】
また、図１３乃至図１７は、同じく本発明扉開閉装置３の他の実施形態を示す。
図１３乃至図１５に示す実施形態は軸押え部３−６１を装置機枠３−５の両側壁３−５１に一体に備えて、図１４に示すように、各軸５，６，７の開放両端面を左右から押えることにより抜止め防止を図るようにしてある。
図１６及び図１７に示す実施形態はソレノイド装置３−２、開閉扉３−１が組み込まれた装置機枠３−５を貯氷庫１の外面に取り付けた後に装着される装置カバー３−７の両側壁３−７０に軸押え部３−６２を一体に備えて、図１７に示すように、各軸５，６，７の開放両端面を左右から押えることにより抜止め防止を図るようにしてある。
斯かる実施形態においては図１４又は図１７に夫々示すように、各軸５，６，７の長さを、装置機枠３−５の両側壁３−５１間又は装置カバー３−７の両側壁３−７０間に亘る長さに夫々形成する。
この様に、軸押え部３−６１，３−６２を装置機枠３−５又は装置カバー３−７に一体に備えることにより、組み立て、分解等がより一層簡便となると共に、コストの削減が期待できる。
尚、斯かる実施形態では軸押え部３−６１又は３−６２の実施形態を変えた以外の他の構成部分においては前述した実施例詳述と基本的に同じことから、同じ構成部分に同じ符号を用いることで重複説明を省略する。
【００４８】
尚、図示を省略しているが、支軸５、移動軸６、連結軸７これらの各軸５，６，７が一端部に頭部を有する頭部付きピンからなる場合には、前述した各実施例詳述のように軸押え部３−６，３−６０，３−６１，３−６２を対峙させて備える必要はない。例えば、各軸５，６，７の頭部側を押えるように、装置機枠３−５の幅方向一側のみに軸押え部３−６を備えることで、割ピンやＥリング等の止め具を用いることなく、各軸５，６，７の抜止め防止を図ることが可能である。
【００４９】
また、軸押え部を金属等の板材を用いて略Ｌ字形等に形成し、装置機枠３−５が取り付け設置される貯氷庫１の外面に、該機枠３−５（氷放出口２）を左右から挟み込むようにネジ止め等により固着対峙せしめて、各軸５，６，７の抜止め防止を図るようにすることも可能である。
【００５０】
また、前述した実施例詳述の扉開閉装置３を貯氷庫１に対して横向きに組み込み設置して、開閉扉３−１による氷放出口２の開閉を行うようにするも良い。この横向き設置の場合にはソレノイド装置３−２のプランジャ３−２０と連結部材３−３とを連結する移動軸６と該連結部材３−３と開閉扉３−１とを連結する連結軸７とに亘り、図示せずの引張り発条体を張架せしめることが望ましい。
これにより、ソレノイド装置３−２への通電が断たれ、発条体３−４により開閉扉３−１が氷放出口２を閉じる動きに伴ないプランジャ３−２０が前進突出する動きの確実性が図られる。つまり、ロック手段の第２ロック部１９に対するロック爪２０が食い込むように係止する動きが確実に行なわれることになる。
【００５１】
以上、本発明の扉開閉装置３の各実施形態を説明したが、本発明に係る扉開閉装置３はこれらの各実施形態に限定されるものではなく、請求項１乃至４の何れかに記載の技術的思想の範囲において、適宜の変更が可能であることは言うまでもないであろう。
【００５２】
【発明の効果】
本発明の氷ディスペンサーの扉開閉装置は叙上の如く構成してなることから下記の作用効果を奏する。
扉開閉装置の装置機枠に開閉扉を回動可能に軸着する支軸、ソレノイドプランジャと連結部材とを連結する移動軸、そして連結部材と開閉扉とを連結する連結軸これら各軸の抜止め防止を、軸押え部による各軸端面の押えにより行なう軸抜止め構造としたことで、従来装置のように、割ピンやＥリング等の止め具の使用を廃止することができる。
従って、止め具が各軸から脱落して氷放出口から放出される氷に混じる等の恐れを完全に防ぐことができることで、衛生上は勿論、万が一飲料すると共に飲み込んでしまう等の危険を回避することができる。
【００５３】
また、ソレノイドプランジャは移動軸を介して軸押え部のガイド部により支え案内されて直線的に進退移動する動きを成すことで、例えば開閉扉の閉じ方向への動きに引っ張られて片側に寄る等の片減り現象を起こすことがない。
従って、ソレノイドプランジャの進退移動時に起る片減り現象による塵や埃等の発生を防ぐことができる。
【００５４】
更に、軸押え部側に設けられた係合部を、装置機枠の側壁側に設けられている係止部に嵌め込み係合させることにより、前記軸押え部を、ソレノイドプランジャの進退方向並びに装置機枠の開放方向に移動不能に係止保持させた状態で装置機枠に定着配設し得るように構成してなることで、面倒なビス等を用いた取り付けが一切不要となる。
従って、装置機枠の側壁に沿わせて軸押え部を組み込みセットすると言った簡単な手法で、該軸押え部の装置機枠への取り付けが可能となることで、扉開閉装置の組み立て、そして修理等時の分解が簡便となる。
【００５５】
また、軸押え部の装置機枠への取り付けが、ビス等を用いることなく可能にしたことに加えて、前述したように、割ピンやＥリング等の止め具の使用が一切不要となる等から、扉開閉装置を低コストで製作提供することが期待できる。
【００５６】
更に、開閉扉が氷放出口を閉じた時点で、該開閉扉側に設けられた第１ロック部が、装置機枠の底壁裏面に衝合係止せしめると共に、プランジャが前進突出するその動きに伴ない該プランジャ側に設けられているロック爪が、開閉扉側に設けられた第２ロック部に、該ロック部を持ち上げるように食い込み係止せしめる扉ロック機構としたことで、氷放出口を閉じる開閉扉を該氷放出口にガタのない密着させた状態でロック保持することができる。
従って、従来のロック機構のように、ガタによる隙間が氷放出口と開閉扉との間に発生することがなくなる。よって、貯氷庫内の氷が解けたり、氷が細かく砕かれる等のトラブル発生を完全に防ぎ、氷を品質の良い状態に保つことができる。
【００５７】
又、ソレノイドプランジャの前進突出限近傍に、開閉扉が氷放出口を閉じた状態で連結部材の係止部が係止するロック部材を配設して、該ロック部材への係止部の係止により貯氷庫内の氷の押圧力が開閉扉に掛かっても該扉が開かないようにロック保持するロック機構としたことで、開閉扉を開く時の前記ロック解除を小さな力で行なうことができる。
換言すれば、従来のロック機構においては開閉扉に前記押圧力が掛かると、その力が操作部材と扉背後のロック部材とのロック部（接触部）に直接掛かることなり、その分、操作部材とロック部材との接触抵抗（摩擦抵抗）が大きくなるため、その接触抵抗以上の力で操作部材をプランジャにて後退させなければならない。対照的に本発明のロック機構ではプランジャの前進突出側で開閉扉の開きを防ぐように構成されていることで、前記押圧力を直接受けることがない分、ロック部材に対する係止部の係止状態を小さな力で解除することができる。
【００５８】
また、扉開閉装置を縦向きに設置した場合においてはソレノイド装置への通電が断たれると、開閉扉が発条体により軸着部Ｐを支点に回動せしめて氷放出口を閉じる該開閉扉の閉方向への動きとプランジャ自体と連結部材の自重により該プランジャは前進突出する動きを成す。
従って、従来の扉ロック機構のように、縦向き設置においてはプランジャ復帰用（前進突出用）の引張り発条体が不要となり、その分、ロック機構の簡素化が図られる。
【図面の簡単な説明】
【図１】本発明扉開閉装置を貯氷庫に取り付けた氷ディスペンサーの全体を示す側面図で、一部を除いて縦断面して示す
【図２】同装置を示す縦断拡大側面図で、氷放出口が開閉扉により閉じられ、開閉扉がノック手段によりロック保持されている状態を示す
【図３】同装置の正面図
【図４】同装置の側面図で、一部を切欠して示す
【図５】同装置を分解して示す斜視図
【図６】同装置の組み立て斜視図
【図７】ソレノイドプランジャの後退没入により氷放出口が開かれた状態を示す要部の拡大断面図
【図８】ソレノイド装置の通電が断たれ、ソレノイドプランジャが移動軸を介して両側の軸押え部に支え案内されて直線的に前進突出し、開閉扉が氷放出口を閉じると共に、ロック手段の第１ロック部が装置機枠の底壁裏面に衝合係止せしめた状態を示す同拡大断面図
【図９】ソレノイドプランジャが前進限まで突出する動きに伴いロック手段の第２ロック部にロック爪が食い込むように係止し、開閉扉が第１ロック部とによりロック保持された状態を示す同拡大断面図
【図１０】本発明扉開閉装置の他の実施形態を示す縦断側面図
【図１１】同装置の正面図
【図１２】同装置の軸押え部を示す斜視図
【図１３】同じく扉開閉装置の他の実施形態を示す縦断拡大側面図
【図１４】同装置の正面図
【図１５】同装置の装置機枠に軸押え部を一体に備えた状態を示す斜視図
【図１６】同じく扉開閉装置の他の実施形態を示す縦断拡大側面図
【図１７】同装置の正面図
【図１８】従来の扉開閉装置を示す正面図
【符号の説明】
１：貯氷庫                        ２：氷放出口
３：扉開閉装置                ３−１：開閉扉
３−２：ソレノイド装置      ３−２０：ソレノイドプランジャ
３−３：連結部材                  ３−４：発条体
３−５：装置機枠                  ３−５０：底壁
３−５１：側壁              ３−６，３−６０，３−６１，３−６２：軸押え部
３−７：装置カバー        ４：貯氷庫
５：支軸              ６：移動軸
７：連結軸            １１：軸着ピン
１３：係止部            １４：長孔
１５，２５：ガイド部      １６：係合部
１７：係止部            １８：第１ロック部
１９：第２ロック部      ２０：ロック爪
【図１】
2004239444.tif 000003
【図２】
2004239444.tif 000004
【図３】
2004239444.tif 000005
【図４】
2004239444.tif 000006
【図５】
2004239444.tif 000007
【図６】
2004239444.tif 000008
【図７】
2004239444.tif 000009
【図８】
2004239444.tif 000010
【図９】
2004239444.tif 000011
【図１０】
2004239444.tif 000012
【図１１】
2004239444.tif 000013
【図１２】
2004239444.tif 000014
【図１３】
2004239444.tif 000015
【図１４】
2004239444.tif 000016
【図１５】
2004239444.tif 000017
【図１６】
2004239444.tif 000018
【図１７】
2004239444.tif 000019
【図１８】
2004239444.tif 000020